(57)【特許請求の範囲】
【請求項１】
便鉢と、前記便鉢の上方に設けられるリムと、を有する便器本体と、
前記便器本体に対して開閉可能に取り付けられる便座と、を備え、
平面視において、
前記便座は環状であり、その内周は円形状を有し、
前記リムは環状であり、その内周の少なくとも前端部は、前記便座の内周よりも内側に位置し、
前記便座と前記リムの前記前端部との間に、前記便座および前記リムとは別体の部材が存在せず、
前記便座の前端部を含む前面側の外周、側面側の外周はそれぞれ、前記リムの前記前端部を含む前面側の外周、側面側の外周より外側に位置し、
前記便座の前面および側面は、当該便座が閉じた状態において全体が露出していることを特徴とする便器装置。
【請求項２】
便鉢と、前記便鉢の上方に設けられるリムと、を有する便器本体と、
前記便器本体に対して開閉可能に取り付けられる便座と、を備え、
平面視において、
前記便座は環状であり、その内周は円形状を有し、
前記リムは環状であり、当該リムの内周のうち、前記便座の内周の横幅が最大となる最大横幅部よりも前側の部分の全体は、前記便座の内周と重なる、または、前記便座の内周よりも内側に位置し、
前記便座と前記リムの前端部との間に、前記便座および前記リムとは別体の部材が存在せず、
前記便座の前端部の下面と、前記リムの前記前端部の上面との間に隙間が存在し、
前記便座の前端部を含む前面側の外周、側面側の外周はそれぞれ、前記リムの前記前端部を含む前面側の外周、側面側の外周より外側に位置し、
前記便座の前面および側面は、当該便座が閉じた状態において全体が露出していることを特徴とする便器装置。
【請求項３】
前記リムの内周は、前記最大横幅部よりも後ろ側において、直線的に延びる直線部を有することを特徴とする請求項２に記載の便器装置。
【請求項４】
前記リムの内周の後端部は、前記便座の内周の後端部よりも外側に位置することを特徴とする請求項１から３のいずれかに記載の便器装置。
【発明の詳細な説明】
【技術分野】
【０００１】
本発明は、便器装置に関する。
【背景技術】
【０００２】
洋式の便器装置は、通常、便鉢と便鉢の上方に設けられるリムとを有する便器本体と、便器本体に開閉可能に取り付けられる便座と、を備える。従来では、例えば便器本体と便座との隙間から汚水が流出するのを抑止する便器装置が提案されている（特許文献１）。
【先行技術文献】
【特許文献】
【０００３】
【特許文献１】特開２００７−１９１９０９号公報
【発明の概要】
【発明が解決しようとする課題】
【０００４】
便器装置では、小便時に、便鉢や便鉢に溜まった洗浄水で尿が跳ね返ることがある。特許文献１に記載される便器装置では、リムよりも便座が内側に張り出しているため、跳ね返った汚水が便座裏に付着し、便座裏が汚れうる。特に便器装置に座って小便をする場合、前方に尿が跳ね返りやすいため、便座裏の前方部分が汚れうる。
【０００５】
本発明はこうした状況に鑑みてなされたものであり、その目的は、便座裏が汚れにくい便器装置を提供することにある。
【課題を解決するための手段】
【０００６】
上記課題を解決するために、本発明のある態様の便器装置は、便鉢と、便鉢の上方に設けられるリムと、を有する便器本体と、便器本体に対して開閉可能に取り付けられる便座と、を備える。平面視において、便座は環状であり、その内周は円形状を有する。リムは環状であり、その内周の少なくとも一部は、便座の内周と重なる、または、便座の内周よりも内側に位置する。
【０００７】
この態様によると、便座裏の内側部分の少なくとも一部はリムに隠れるため、その部分に汚水の跳ね返りが付着しにくくなる。
【０００８】
上述のリムの少なくとも一部は、リムの内周の前端部であってもよい。この場合、便座裏の内側部分の前端部がリムに隠れるため、その部分に汚水の跳ね返りが付着しにくくなる。
【０００９】
上述のリムの少なくとも一部は、リムの内周のうち、便座の内周の横幅が最大となる最大横幅部よりも前側の部分であってもよい。この場合、便座裏の内側部分のうちの前側部が比較的広範囲にわたってリムに隠れ、その部分に汚水の跳ね返りが付着しにくくなる。
【００１０】
リムの内周は、最大横幅部よりも後ろ側において、直線的に延びる直線部を有してもよい。この場合、リムは比較的単純な形状となるため、高い清掃性を確保できる。
【００１１】
リムの内周の後端部は、便座の内周の後端部よりも外側に位置してもよい。この場合、便座の後方に設けられる機能部品が利用者に視認されるのを抑止できる。
【００１２】
なお、以上の構成要素の任意の組み合わせや、本発明の構成要素や表現を方法、装置、システムなどの間で相互に置換したものもまた、本発明の態様として有効である。
【発明の効果】
【００１３】
本発明によれば、便座裏が汚れにくい便器装置を提供できる。
【図面の簡単な説明】
【００１４】
【図１】実施の形態に係る便器装置を示す斜視図である。
【図２】便器装置を示す他の斜視図である。
【図３】便器装置の中央縦断面図である。
【図４】便座およびリム部を平面視した図である。
【図５】便座およびリム部の縦断面図である。
【図６】比較例に係る便器装置の便座およびリム部を平面視した図である。
【図７】実施の形態の変形例に係る便器装置の便座およびリム部の縦断面図である。
【発明を実施するための形態】
【００１５】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１６】
小便をする場合、一般に、便鉢の前側における尿の跳ね返りが多い。座って小便をする場合、特にそれが顕著となる。また、座って小便をする場合、便鉢の後方における尿の跳ね返りは生じにくい。以上を前提として、実施の形態に係る便器装置について説明する。
【００１７】
図１、２は、実施の形態に係る便器装置１０を示す斜視図である。図１は、便座が閉じた状態を示し、図２は便座が開いた状態を示す。図３は、便器装置１０の中央縦断面図である。便器装置１０は、洋式の水洗式大便器であり、便器本体１２と、便座１４と、洗浄タンク１６と、機能部品１８と、肘掛け４２と、を備える。以下、便座１４が設けられる側を前側、洗浄タンク１６が設けられる側を後ろ側として説明する。また、前後方向および上下方向に直交する方向を左右方向として説明する。
【００１８】
洗浄タンク１６は、便器本体１２の後方上部に設けられる。洗浄タンク１６は、セラミック材料や樹脂材料などから形成されるタンクであり、便器洗浄に利用する洗浄水を貯水する。操作レバー１６ａが操作されると、洗浄タンク１６内の洗浄水が便器本体１２の便鉢２０（後述）に供給される。
【００１９】
便器本体１２は、セラミック材料や樹脂材料などから形成される。便器本体１２は、便鉢２０と、便器排水路２２と、外周壁部２４と、を有する。便鉢２０は、汚物受け部２６と、リム部２８と、を有する。汚物受け部２６は、上方に開口した椀状の部材であり、汚物を受ける。汚物受け部２６の底部には流出口２６ａが形成されている。
【００２０】
リム部２８は、開口２８ａが形成された環状の部材であり、汚物受け部２６の上縁部に設けられる。リム部２８の下面２８ｂは、汚物受け部２６の上端部２６ｂとともに、旋回流を生成するためのリム通水路３０を構成する。また、リム部２８の上面２８ｃは平坦に形成され、便座１４が閉じているときに便座１４が着座する着座面として機能する。
【００２１】
便器排水路２２は、一端は流出口２６ａに通じ、他端は排水管（不図示）に通じている。洗浄タンク１６から汚物受け部２６に洗浄水が供給されると、汚物は、洗浄水とともに便器排水路２２内に流れ、そこから排水管に排出される。外周壁部２４は、便鉢２０の外周や便器排水路２２を隠すよう、それらを前後左右から囲む。
【００２２】
便座１４は、便鉢２０の上方に設けられる。便座１４はセラミック材料や樹脂材料などから形成される。便座１４は、開口１４ａが形成された環状の部材であり、ヒンジ機構（不図示）を介して便器本体１２に対して開閉可能に取り付けられる。便座１４には利用者が着座する。
【００２３】
機能部品１８は、便座１４の後方に設けられる。機能部品１８は、便器本体１２に付随して用いられる電装品であり、局部洗浄装置、局部乾燥装置、脱臭装置、便座暖房装置等の機械装置を１つ以上含んで構成される。図３では、機能部品１８が局部洗浄装置を含む場合を示している。肘掛け４２は洗浄タンク１６の側面に取り付けられる。
【００２４】
図４は、便座１４およびリム部２８を平面視した（すなわち上から見た）図である。なお、図４は、リム部２８の上面２８ｃに平行なある平面に便座１４とリム部２８とを投影した投影図であるとも言える。図４を参照して、リム部２８および便座１４の形状について説明する。なお、便座１４の開口１４ａの大きさは、便座１４に着座する利用者が嵌らないような大きさに決定される。そのため、便座１４の設計自由度は比較的小さい。そこで、基本的にはリム部２８の開口２８ａの大きさを調整することによって後述の関係が実現する。
【００２５】
図４において、環状線３２、３４はそれぞれ、リム部２８の内壁面２８ｄ、外壁面２８ｅに対応する。環状線３８、４０はそれぞれ、便座１４の内壁面１４ｂ、外壁面１４ｃに対応する。環状線３８は円形状を有する。つまり、平面視において、便座１４の内周は円形状を有する。図４では、環状線３８が略楕円形状である場合を示している。
【００２６】
本実施の形態では、左右方向における便座１４の内周の幅（別の言い方をすると、左右方向における開口１４ａの幅）が最大となる位置Ｐ１、Ｐ２を基準として、それよりも前側において環状線３８と環状線３２が重なる。本実施の形態では、環状線３８の前側の約２／３程度が、環状線３２と重なっている。位置Ｐ１、Ｐ２よりも後ろ側においては、環状線３８と環状線３２とは重ならない。環状線３２は特に、位置Ｐ１、Ｐ２から後方に直線的に延び、環状線３８の外側に位置する。つまり、平面視において、位置Ｐ１、Ｐ２よりも前側ではリム部２８の内周と便座１４の内周とが重なり、位置Ｐ１、Ｐ２よりも後ろ側ではリム部２８の内周が便座１４の内周よりも外側に位置する。ここで「重なる」とは、平面視において、リム部２８の内周と便座１４の内周とが実際に重なっている場合に加え、製造誤差により実際には重なっていない（例えば便座１４の内周がリム部２８の内周よりも僅かに（例えば４〜８ｍｍ程度）内側に位置する）が重なるよう設計されている場合も含む。
【００２７】
図５は、便座１４およびリム部２８の縦断面図である。便座１４の内壁面１４ｂは、内側下方に向かって傾斜している。つまり、内壁面１４ｂは、下側ほど開口１４ａが狭くなるよう傾斜している。同様に、リム部２８の内壁面２８ｄは、内側下方に向かって傾斜している。つまり、内壁面２８ｄは、下側ほど開口２８ａが狭くなるよう傾斜している。図５に示されるように、便座１４およびリム部２８は、便座１４の内壁面１４ｂの最内周部１４ｄと、リム部２８の内壁面２８ｄの最内周部２８ｆとが重なるよう形成される。
【００２８】
以上、実施の形態に係る便器装置１０について説明した。
実施の形態に係る便器装置１０によると、平面視において、位置Ｐ１、Ｐ２よりも前側では、リム部２８と便座１４の内周が互いに重なる。すなわち、リム部２８によって便座１４の下面の内側部分の前側が汚物受け部２６に対して隠れるよう便座１４およびリム部２８が形成される。これにより、便座１４の下面の内側部分の前側に汚水の跳ね返りが付着するのが抑止され、便座１４の下面が汚れにくくなる。
【００２９】
また、実施の形態に係る便器装置１０によると、平面視において、位置Ｐ１、Ｐ２よりも後ろ側では、リム部２８と便座１４の内周は互いに重ならない。特に、リム部２８の内周が、便座１４の内周の外側に位置する。そのため、便座１４によって機能部品を隠すことが可能となる。これにより、利用者に機能部品が視認されるのを抑止でき、良好な見栄えを確保できる。
【００３０】
図６は比較例に係る便器装置の便座およびリム部を平面視した図である。図６は図４に対応する。図６では、位置Ｐ１、Ｐ２よりも前側において環状線３８と環状線３２が重なっている。加えて、局部洗浄装置のノズル（不図示）が進入してくる後端部分を除いて、位置Ｐ１、Ｐ２より後ろ側においても環状線３８と環状線３２が重なっている。つまり、平面視において、リム部の内周は、局部洗浄装置のノズル（不図示）が進入してくる後端部分を除いて、便座１４の内周と重なっている。言い換えると、リム部は、後端部分を除いて、便座１４に対応した形状を有している。この比較例の場合、図６から明らかなように、リム部の形状は比較的複雑になり、リム部の清掃性は低下する。これに対し本実施の形態では、平面視において、位置Ｐ１、Ｐ２よりも後ろ側では、リム部２８の内周は直線的に後方に伸び、その形状は比較的簡単になる。そのため、リム部２８の清掃性を向上できる。つまり、本実施の形態に係る便器装置１０によると、汚水の跳ね返りの多い前方部分では、リム部２８を便座１４に対応した形状として便座１４の下面が汚れるのを抑止でき、汚水の跳ね返りの少ない後方部分では、リム部２８の形状を敢えて便座１４に対応させず、リム部２８を比較的簡単な形状としてリム部２８の清掃性を向上できる。
【００３１】
また、実施の形態に係る便器装置１０によると、リム部２８の内壁面２８ｄは、内側下方に向かって傾斜している。つまり、リム部２８の内壁面２８ｄは、利用者側を向く。これにより、リム部２８の内壁面２８ｄの清掃性が向上する。
【００３２】
以上、実施の形態に係る便器装置について説明した。この実施の形態は例示であり、その各構成要素の組み合わせにいろいろな変形例が可能なこと、またそうした変形例も本発明の範囲にあることは当業者に理解されるところである。
【００３３】
（変形例１）
実施の形態では、平面視において、位置Ｐ１、Ｐ２よりも前側においてリム部２８と便座１４の内周が互いに重なる場合について説明したが、これに限られない。平面視において、リム部２８の内周の少なくとも一部が便座１４の内周と重なるよう便座１４およびリム部２８が形成されてもよい。また、平面視において、リム部２８の内周の少なくとも一部が便座１４の内周よりも内側に位置するよう便座１４およびリム部２８が形成されてもよい。この場合、リム部２８によって便座１４の下面の内側部分の少なくとも一部が汚物受け部２６に対して隠れるため、その部分に汚水の跳ね返りが付着するのが抑止される。なお、上述したように座って小便をする場合は前方に尿が跳ね返りやすいため、少なくとも便座１４の下面の内側部分の前端部が、汚物受け部２６に対して隠れるよう便座１４およびリム部２８が形成されることが望ましい。
【００３４】
（変形例２）
図７は、実施の形態の変形例に係る便器装置の便座１４およびリム部２８の断面図である。図７は図５に対応する。図７に示されるように、便座１４の下面１４ｅの最内周部１４ｆと、リム部２８の上面２８ｃの最内周部２８ｇとが平面視において重なるよう、便座１４およびリム部２８が形成されてもよい。この場合、リム部２８によって、便座１４の下面１４ｅが汚物受け部２６に対してより確実に隠れるため、便座１４の下面１４ｅがより汚れにくくなる。なお、便座１４の下面１４ｅの最内周部１４ｆよりもリム部２８の上面２８ｃの最内周部２８ｇが内側に位置するよう便座１４およびリム部２８が形成されてもよい。また、リム部２８の内壁面２８ｄは、図７に示されるように、内側下方に向かって傾斜していなくてもよい。
【００３５】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００３６】
１０  便器装置、  １２  便器本体、  １４  便座、  １４ａ  開口、  １４ｂ  内壁面、  ２０  便鉢、  ２６  汚物受け部、  ２８  リム部、  ２８ａ  開口、  ２８ｄ  内壁面、  ３２，３４  環状線、  ３８，４０  環状線。
【図１】
0006738123.tif 000002
【図２】
0006738123.tif 000003
【図３】
0006738123.tif 000004
【図４】
0006738123.tif 000005
【図５】
0006738123.tif 000006
【図６】
0006738123.tif 000007
【図７】
0006738123.tif 000008